(57)【要約】  本発明の態様は、液晶表示の方法及び装置を提供する。先に各フレーム画像における偏色特徴を有する領域を確定し、各フレーム画像における偏色特徴を有する領域に対してグレースケール補償を行うことで、画像における偏色する部分のみに対して補償を行い、画像における偏色が発生しない部分に対しては補償を行わないので、液晶の通常表示が実現される。
2016510139.tif 000002
【特許請求の範囲】
【請求項１】
各フレーム画像における偏色特徴を有する領域を確定するステップと、
前記偏色特徴を有する領域に対してグレースケール補償を行うステップと、
補償された画像データに基づいて液晶表示を行うステップと、
を備えることを特徴とする液晶表示方法。
【請求項２】
各フレーム画像における偏色特徴を有する領域を確定するステップが、
第１のフレーム画像における偏色特徴を有する領域を確定するステップと、
各フレーム画像において偏色特徴を有する領域が、第１のフレーム画像における偏色特徴を有する領域に対応する領域であることを確定するステップと
を備え、
前記領域に対してグレースケール補償を行うステップが、
第２のフレームから、各フレーム画像における偏色特徴を有する領域に対してグレースケール補償を行うステップを備えることを特徴とする請求項１に記載の液晶表示方法。
【請求項３】
前記第１のフレーム画像における偏色特徴を有する領域を確定するステップが、
第１のフレーム画像において偏色特徴を有する領域が、領域面積が所定面積以上であり、かつ予め設定された偏色検出画像における対応領域とのデータ相似度が設定値以上である領域であると確定するステップを備えることを特徴とする請求項２に記載の液晶表示方法。
【請求項４】
第１のフレーム画像において偏色特徴を有する領域が、領域面積が所定面積以上であり、かつ予め設定された偏色検出画像における対応領域とのデータ相似度が設定値以上である領域であると確定するステップが、
前記第１のフレーム画像に対して行ごとに順次検出することで、連続する所定個数より少なくない行で形成された領域を確定し、前記領域における各行には、予め設定された偏色検出画像における対応位置のデータと同じである所定個数の連続するデータがそれぞれ少なくとも存在することを特徴とする請求項３に記載の液晶表示方法。
【請求項５】
前記第１のフレーム画像に対して行ごとに順次検出することで、連続する所定個数より少なくない行で形成された領域を確定するステップが、
連続する所定個数のデータが、偏色検出画像における対応位置のデータと同じである第１目の行が確定できるまで、第１のフレーム画像データにおける検出されなかったデータに対して行ごとに順次検出し、行数ａを記録するステップと、
第a＋1行から所定行数の行に対して行ごとに順次検出して、各行には、連続する所定個数のデータが、偏色検出画像における対応位置のデータと同じであることがそれぞれ少なくとも存在することを確定するステップと、
連続する所定個数のデータが、偏色検出画像における対応位置のデータと同じであることが少なくとも存在する条件が満足しない第１目の行を確定できるまで、他の行に対して各行ごとに順次検出し、この行の前の行数ｂを記録し、第１のフレーム画像における偏色特徴を有する領域がa行からｂ行までであることを確定するステップと、を備えることを特徴とする請求項４に記載の液晶表示方法。
【請求項６】
各フレーム画像における偏色特徴を有する領域を確定するための確定ユニットと、
偏色特徴を有する領域に対してグレースケール補償を行うための補償ユニットと、
補償された画像データに対して液晶表示を行うための表示ユニットと、
を備えることを特徴とする液晶表示装置。
【請求項７】
前記確定ユニットが、第１のフレーム画像における偏色特徴を有する領域を確定し、各フレーム画像において偏色特徴を有する領域が、第１のフレーム画像における偏色特徴を有する領域に対応する領域であると確定し、
前記補償ユニットが、第２フレームから、各フレーム画像における偏色特徴を有する領域に対してグレースケール補償を行うことに用いられることを特徴とする請求項６に記載の液晶表示装置。
【請求項８】
前記確定ユニットにより第１のフレーム画像における偏色特徴を有する領域を確定することが、
第１のフレーム画像において偏色特徴を有する領域が、領域面積が所定面積以上であり、かつ予め設定された偏色検出画像における対応領域とのデータ相似度が設定値以上である領域であると確定することを備えることを特徴とする請求項７に記載の液晶表示装置。
【請求項９】
前記確定ユニットにより第１のフレーム画像において偏色特徴を有する領域が、領域面積が所定面積以上であり、かつ予め設定された偏色検出画像における対応領域とのデータ相似度が設定値以上である領域であると確定することが、
前記第１のフレーム画像に対して行ごとに順次検出することで、連続する所定個数より少なくない行で形成された領域を確定することを備え、前記領域における各行には、予め設定された偏色検出画像における対応位置のデータと同じである所定個数の連続するデータがそれぞれ少なくとも存在することを特徴とする請求項８に記載の液晶表示装置。
【請求項１０】
前記確定ユニットが前記第１のフレーム画像に対して行ごとに順次検出することで、連続する所定個数より少なくない行で形成された領域を確定することが、具体的に、
連続する所定個数のデータが、偏色検出画像における対応位置のデータと同じである第１目の行が確定できるまで、第１のフレーム画像データにおける検出されなかったデータに対して行ごとに順次検出し、行数ａを記録することと、
第a＋1行から所定行数の行に対して行ごとに順次検出して、各行には、連続する所定個数のデータが、偏色検出画像における対応位置のデータと同じであることがそれぞれ少なくとも存在することを確定することと、
連続する所定個数のデータが、偏色検出画像における対応位置のデータと同じであることが少なくとも存在する条件が満足しない第１目の行を確定できるまで、他の行に対して各行ごとに順次検出し、この行の前の行数ｂを記録し、第１のフレーム画像における偏色特徴を有する領域がa行からｂ行までであることを確定することに用いられることを特徴とする請求項９に記載の液晶表示装置。
【発明の詳細な説明】
【技術分野】
【０００１】
本発明は、液晶表示技術に関し、特に液晶表示の方法及び装置に関する。
【背景技術】
【０００２】
通常、液晶表示装置は、データ線及び共通線の間に容量結合が存在し、液晶表示を行う時、容量結合効果により、カラーフィルタ基板における共通電極の電圧がずれてしまい、表示された画像の一部に偏色現象が生じられる。
【０００３】
一つの解決手段として、偏色現象の発生を避けるために、受信された各フレーム画像につき、画像全体に対してグレースケール補償を行うことにより、偏色の現象を避けることができる。
【０００４】
しかし、画像における偏色が発生しなかった部分がこのような補償に影響され、当該部分の通常的表示ができないとの欠点が存在する。
【０００５】
以上により、従来における画像の偏色に対してデータ補償を行う技術手段は、画像全体に対してグレースケール補償を行うことしかできないので、偏色が発生しなかった画像領域の液晶表示効果が影響されやすい。
【発明の概要】
【発明が解決しようとする課題】
【０００６】
本発明の実施例は、画像の液晶表示効果を向上する液晶表示の方法及び装置を提供する。
【課題を解決するための手段】
【０００７】
本発明の実施例による液晶表示方法は、
各フレーム画像における偏色特徴を有する領域を確定するステップと、
偏色特徴を有する領域に対してグレースケール補償を行うステップと、
補償された画像データに基づいて液晶表示を行うステップと、
を備える。
【０００８】
本発明の実施例による液晶表示装置は、
各フレーム画像における偏色特徴を有する領域を確定するための確定ユニットと、
偏色特徴を有する領域に対してグレースケール補償を行うための補償ユニットと、
補償された画像データに基づいて液晶表示を行うための表示ユニットと、
を備える。
【図面の簡単な説明】
【０００９】
本発明の技術案をより明確に説明するため、下記は、添付図面を用いながら本発明を詳しく説明する。なお、以下の図面は、本発明の実施例のみ係るが、本発明を限定するのもではない。
【００１０】
【図１】本発明の実施例に係る液晶表示装置の構成を示す模式図である。
【発明を実施するための形態】
【００１１】
本発明の実施例は、液晶表示の方法及び装置を提供する。まず、各フレーム画像における偏色特徴を有する領域を確定し、各フレーム画像における偏色特徴を有する領域に対してグレースケール補償を行うことによって、画像における偏色が生じる部分のみに対して補償を行い、画像における偏色が生じない部分に対して補償を行わないので、偏色が発生しない部分の液晶表示が影響されなく、画像の液晶表示効果が向上する。
【００１２】
本発明の実施例は、下記のステップを備える液晶表示方法を提供する。すなわち、
S１０１、各フレーム画像における偏色特徴を有する領域を確定する。
S１０２、偏色特徴を有する領域に対してグレースケール補償を行う。
S１０３、補償された画像データに基づいて液晶表示を行う。
【００１３】
各フレーム画像における偏色特徴を有する領域を確定し、各フレーム画像における偏色特徴を有する領域に対して補償を行うが、偏色が発生しない部分に対しては補償をしないことによって、偏色が発生しない部分の液晶表示が影響されなく、画像の液晶表示効果が向上する。
【００１４】
各フレーム画像における偏色特徴を有する領域を確定する方法は多いが、各フレーム画像における偏色特徴を有する領域をそれぞれ確定してもよいし、通常、液晶表示のための一組の画像における、偏色特徴を有する領域が同じであるので、ある１つのフレーム画像を選び、この１つのフレーム画像における偏色特徴を有する領域を確定し、他のフレーム画像における、この領域と対応する領域を各フレーム画像における偏色特徴を有する領域として確定してもよい。例えば、第１のフレーム画像における偏色特徴を有する領域が確定されると、他のフレーム画像における偏色特徴を有する領域が、各フレーム画像における、第１のフレーム画像における偏色特徴を有する領域に対応する領域であってもよい。
【００１５】
具体的に、ステップ１０１は、下記のステップを備える。即ち、
S２０１、第１のフレーム画像における偏色特徴を有する領域を確定する。
S２０２、各フレーム画像における偏色特徴を有する領域が、第１のフレーム画像における偏色特徴を有する領域に対応する領域であると確定する。
【００１６】
第１のフレーム画像領域における偏色特徴を有する領域を確定することで、さらに、他のフレーム画像における偏色特徴を有する領域が、各フレーム画像における第１のフレーム画像の偏色特徴を有する領域に対応する領域であることを確定でき、システムが各画像における偏色特徴を有する領域を確定する時の処理量を減少させることができる。さらに、システムの処理負荷を低減させるため、第２のフレーム画像から画像に対して補償を行ってもよい。
【００１７】
具体的に、ステップ１０２は、第２のフレーム画像から、各フレーム画像における偏色特徴を有する領域に対してグレースケール補償を行う。
【００１８】
第２のフレーム画像から、各フレーム画像における偏色特徴を有する領域に対してグレースケール補償を行うことで、システムの処理負荷を低減させることができる。
【００１９】
勿論、当業者は、他の形態によって各フレーム画像における偏色特徴を有する領域を確定してもよい。また、当業者は、他の形態によって、各フレーム画像における偏色特徴を有する領域に対してグレースケール補償を行ってもよい。ここで、詳しく説明しない。
【００２０】
ステップ２０１を実現する方法は多い。例えば、偏色検出画像を設定してもよい。この偏色検出画像に基づいて第１のフレーム画像を検出する。ここで、偏色検出画像は、トラブル検出画像、緑色検出画像、または他の偏色検出に用いられる画像であってもよい。偏色検出画像は、第１のフレーム画像の通常的に表示できる画像と同じであってもよい。これによって、第１のフレーム画像における、検出データと異なる領域が偏色特徴を有する領域として確定されるとともにグレースケール補償を行う。また、偏色検出画像は、第１のフレーム画像における偏色発生可能な領域であってもよい。これによって、第１のフレーム画像における、偏色検出画像と同じである領域が偏色特徴を有する領域として確定されるとともにグレースケール補償を行う。
【００２１】
偏色検出画像として、第１のフレーム画像における偏色発生可能な領域である時、ステップ２０１は、具体的に下記のステップを備える。
【００２２】
すなわち、第１のフレーム画像において偏色特徴を有する領域は、その面積が所定面積以上であり、かつ予め設定された偏色検出画像における対応領域とのデータ相似度が設定値以上である偏色特徴を有する領域であると確定する。
【００２３】
ここで、第１のフレーム画像における偏色特徴を有する領域を誤判しないように、偏色検出画像に応じて、表示の際この偏色検出画像が対応する偏色を反映できる最小画像面積を確定してもよい。予め設定された偏色検出画像における対応領域とのデータ相似度が設定値以上である領域の面積がこの最小画像面積以上である場合、この領域が偏色特徴を有する領域として確定できる。さらに、第１のフレーム画像における偏色特徴を有する領域と、偏色検出画像における対応位置の領域とのデータ相似度が６５％−８０％以上であると設定してもよい。例えば、第１のフレーム画像における偏色特徴を有する領域と、偏色検出画像における対応位置の領域とのデータ相似度が７０％以上であると設定してもよい。
【００２４】
勿論、当業者は、他の形態によって第１のフレーム画像における偏色特徴を有する領域を確定してもよい。ここで、詳しく説明しない。
【００２５】
さらに、第１のフレーム画像に対して行ごとに検出する方法によって、第１のフレーム画像における、領域面積が所定面積以上でありかつ予め設定された偏色検出画像における対応位置の領域とのデータ相似度が設定値以上である領域を確定してもよい。
【００２６】
具体的に、第１のフレーム画像に対して行ごとに順次検出することで、連続する所定行数より少なくない行で形成された領域を確定する。ここで、前記領域における各行には、少なくとも予め設定された偏色検出画像における対応位置のデータと同じである、所定個数の連続するデータが存在する。
【００２７】
ここで、各行における、偏色検出画像における対応位置のデータと同じであるデータの個数が、各行のデータ総数の６５％−８０％であってもよい。好ましくは、各行におけるデータ総数の７０％であってもよい。所定個数の連続するデータが、偏色検出画像における対応位置のデータと同じである行の行数は、偏色検出画像によって確定されてもよい。偏色検出画像の場合、所定個数の連続するデータが偏色検出画像における対応位置のデータと同じである行が連続して１０行存在すると、偏色が発生される。よって、所定個数の連続するデータが偏色検出画像における対応位置のデータと同じである行数を１０行以上に設定する。
【００２８】
勿論、当業者は、他の実施形態によって、各行の偏色検出画像における対応位置のデータと同じであるデータ個数の、各行のデータ総数における比例を設定してもよい。勿論、当業者は、他の実施形態によって、所定個数の連続するデータが偏色検出画像における対応位置のデータと同じである行数を設定してもよい。ここで、詳しく説明しない。
【００２９】
具体的に、本発明の実施例の液晶表示方法は、下記のステップを備える。
ステップ３０１、画像データを入力する。
ステップ３０２、所定個数の連続するデータが、偏色検測検出画像の対応位置におけるデータと同じである第１目の行が確定されるまで、第１のフレーム画像データにおける検出されなかったデータに対して各行ごとに順次検出する。
ステップ３０３、行数aを記録する。
ステップ３０４、第a＋1行から所定個数の行に対して各行ごとに順次検出し、各行に少なくとも連続する所定個数のデータが偏色検出画像における対応位置のデータと同じであるかを判断する。存在する場合、ステップ３０５に移行し、存在しない場合、ステップ３０２に移行する。
ステップ３０５、少なくとも連続する所定個数のデータが、偏色検出画像における対応位置のデータと同じである条件を満足しない第１目の行を確定できるまで、他の行に対して各行ごとに順次検出し、この行の前の行数ｂを記録し、第１のフレーム画像における偏色特徴を有する領域を、第a行から第ｂ行までとして確定する。
ステップ３０６、第２のフレーム画像から、各フレーム画像における第a行から第ｂ行までに対して補償し、補償された画像データに基づいてグレースケール表示を行う。
【００３０】
ここで、aは、連続する所定個数のデータが、偏色検出画像における対応位置のデータと同じである第１目の行数であり、ｂは、少なくとも連続する所定個数のデータが、偏色検出画像における対応位置のデータと同じであることが存在する条件を満足しない第１目の行の前の行数である。ステップ３０４では、偏色検出画像によって所定個数の行を確定する。少なくとも連続する所定個数のデータが、偏色検出画像における対応位置のデータと同じであることが存在する行がＮ行である場合、偏色現象が発生され、ステップ３０４での所定個数の行がＮ−１行である。
【００３１】
図１に示すように、本発明の実施例は、液晶表示装置を提供する。即ち、
各フレーム画像における偏色特徴を有する領域を確定するための確定ユニット４０１と、
偏色特徴を有する領域に対してグレースケール補償を行うための補償ユニット４０２と、
補償された画像データに対して液晶表示を行うための表示ユニット４０３と、
を備える。
【００３２】
各フレーム画像における偏色特徴を有する領域を確定し、各フレームにおける偏色特徴を有する領域に対して補償することで、偏色が発生する領域のみに対して補償を行い、偏色が発生しない部分の液晶表示が影響されなく、画像の液晶表示効果が向上する。
【００３３】
各フレーム画像における偏色特徴を有する領域を確定する方法は多いが、各フレーム画像における偏色特徴を有する領域をそれぞれ確定してもよいし、通常、液晶表示のための一組の画像における、偏色特徴を有する領域が同じであるので、ある１つのフレーム画像を選んでこのフレーム画像における偏色特徴を有する領域を確定し、他のフレーム画像におけるこの領域と対応する領域を、各フレーム画像における偏色特徴を有する領域として確定してもよい。好ましくは、先に第１のフレーム画像における偏色特徴を有する領域を確定し、他のフレーム画像における偏色特徴を有する領域が、各フレーム画像における、第１のフレーム画像の偏色特徴を有する領域に対応する領域であると確定してもよい。
【００３４】
具体的に、確定ユニット４０１は、
第１のフレーム画像における偏色特徴を有する領域を確定し、
各フレーム画像における偏色特徴を有する領域が、第１のフレーム画像における偏色特徴を有する領域に対応する領域であると確定する。
【００３５】
第１のフレーム画像領域における偏色特徴を有する領域を確定することで、さらに、他のフレームの画像における偏色特徴を有する領域が、各フレーム画像における第１のフレーム画像の偏色特徴を有する領域と対応する領域であることを確定でき、システムが各画像における偏色特徴を有する領域を確定する時の処理量を減少することができる。さらに、システムの処理負荷を低減させるため、第２のフレーム画像から画像に対して補償を行ってもよい。
【００３６】
具体的に、補償ユニット４０２は、第２のフレーム画像から、各フレーム画像における偏色特徴を有する領域に対してグレースケール補償を行う。
【００３７】
第２のフレーム画像から、各フレーム画像における偏色特徴を有する領域に対してグレースケール補償を行うことで、システムの処理負荷を低減させることができる。
【００３８】
勿論、当業者は、他の形態によって各フレーム画像における偏色特徴を有する領域を確定してもよい。また、当業者は、他の形態によって、各フレーム画像における偏色特徴を有する領域に対してグレースケール補償を行ってもよい。ここで、詳しく説明しない。
【００３９】
第１のフレーム画像における偏色特徴を有する領域を確定する方法は多いが、好ましく、偏色検出画像を設定してもよい。この偏色検出画像に基づいて第１のフレーム画像を検出する。ここで、偏色検出画像は、トラブル検出画像、緑色検出画像、または他の偏色検出に用いられる画像であってもよい。偏色検出画像は、第１のフレーム画像の通常的に表示できる画像と同じであってもよい。これによって、第１のフレーム画像における、検出データと異なる領域が、偏色特徴を有する領域として確定されるとともに、グレースケール補償を行う。また、偏色検出画像は、第１のフレーム画像における偏色発生可能な領域であってもよい。これによって、第１のフレーム画像における、偏色検出画像と同じである領域が、偏色特徴を有する領域として確定されるとともにグレースケール補償を行う。
【００４０】
偏色検出画像として、第１のフレーム画像における偏色発生可能な領域である時、さらに、確定ユニット４０１は、具体的に下記のために用いられる。
【００４１】
すなわち、第１のフレーム画像において偏色特徴を有する領域は、その面積が所定面積以上であり、かつ予め設定された偏色検出画像における対応領域とのデータ相似度が設定値以上である偏色特徴を有する領域であると確定する。
【００４２】
ここで、第１のフレーム画像における偏色特徴を有する領域を誤判しないように、偏色検出画像に応じて、表示の際この偏色検出画像が対応する偏色を反映できる最小画像面積を確定してもよい。予め設定された偏色検出画像における対応領域とのデータ相似度が設定値以上である領域の面積がこの最小画像面積以上である場合、この領域が偏色特徴を有する領域として確定できる。さらに、第１のフレーム画像における偏色特徴を有する領域と、偏色検出画像における対応位置の領域とのデータ相似度が６５％−８０％以上であると設定してもよい。例えば、第１のフレーム画像における偏色特徴を有する領域と、偏色検出画像における対応位置の領域とのデータ相似度が７０％以上であると設定してもよい。
【００４３】
勿論、当業者は、他の形態によって第１のフレーム画像における偏色特徴を有する領域を確定してもよい。ここで、詳しく説明しない。
【００４４】
さらに、第１のフレーム画像に対して行ごとに検出する方法によって、第１のフレーム画像における、領域面積が所定面積以上でありかつ予め設定された偏色検出画像における対応位置の領域とのデータ相似度が設定値以上である領域を確定してもよい。
【００４５】
具体的に、第１のフレーム画像に対して行ごとに順次検出することで、連続する所定行数より少なくない行で形成された領域を確定する。ここで、前記領域における各行には、少なくとも予め設定された偏色検出画像における対応位置のデータと同じである、所定個数の連続するデータが存在する。
【００４６】
ここで、各行における、偏色検出画像における対応位置のデータと同じであるデータの個数が、各行のデータ総数の６５％−８０％であってもよい。好ましくは、各行におけるデータ総数の７０％であってもよい。所定個数の連続するデータが、偏色検出画像における対応位置のデータと同じである行の行数は、偏色検出画像によって確定されてもよい。偏色検出画像の場合、所定個数の連続するデータが偏色検出画像における対応位置のデータと同じである行が連続して１０行存在すると、偏色が発生される。よって、所定個数の連続するデータが偏色検出画像における対応位置のデータと同じである行数を１０行以上に設定する。
【００４７】
勿論、当業者は、他の実施形態によって、各行の偏色検出画像における対応位置のデータと同じであるデータ個数の、各行のデータ総数における比例を設定してもよい。勿論、当業者は、他の実施形態によって、所定個数の連続するデータが偏色検出画像における対応位置のデータと同じである行数を設定してもよい。ここで、詳しく説明しない。
【００４８】
具体的に、確定ユニット４０１は、下記のために用いられる。
【００４９】
即ち、所定個数の連続するデータが、偏色検測検出画像の対応位置におけるデータと同じである第１目の行が確定されるまで、第１のフレーム画像データにおける検出されなかったデータに対して各行ごとに順次検出し、この行数aを記録する。
第a＋1行から所定個数の行に対して各行ごとに順次検出し、各行に少なくとも連続する所定個数のデータが偏色検出画像における対応位置のデータと同じであることを確定する。
少なくとも連続する所定個数のデータが、偏色検出画像における対応位置のデータと同じである条件を満足しない第１目の行を確定できるまで、他の行に対して各行ごとに順次検出し、この行の前の行数ｂを記録し、第１のフレーム画像データにおける偏色特徴を有する領域が第a行から第ｂ行までだと確定する。
【００５０】
ここで、aは、連続する所定個数のデータが、偏色検出画像における対応位置のデータと同じである第１目の行数であり、ｂは、少なくとも連続する所定個数のデータが、偏色検出画像における対応位置のデータと同じであることが存在する条件を満足しない第１目の行の前の行数である。ステップ３０４では、偏色検出画像によって所定個数の行を確定する。少なくとも連続する所定個数のデータが、偏色検出画像における対応位置のデータと同じであることが存在する行がＮ行である場合、偏色現象が発生され、ステップ３０４での所定個数の行がＮ−１行である。
【００５１】
本発明の実施例が提供した液晶表示装置は、本発明の実施例が提供した液晶表示方法に対応する装置であり、本発明の実施例が提供した液晶方法における全ての実施例に適用される。
【００５２】
本発明の実施例は、液晶表示の方法及び装置を提供し、まず、各フレーム画像における偏色特徴を有する領域を確定し、各フレーム画像における偏色特徴を有する領域をグレースケール補償することで、画像における偏色する部分のみに対して補償を行い、画像における偏色が発生しない部分に対して補償を行わないので、偏色が発生しない部分の液晶表示が影響されなく、画像の液晶表示効果が向上する。
【００５３】
当業者は、本発明の実施例が方法、システム、コンピュータプログラム製品として提供されることが自明である。そのため、本発明は、完全ハードウェア実施例、完全ソフトウェア実施例、またはソフトウェアとハードウェアとを組み合わせた実施例の形態を採用してもよい。また、本発明は、一つまたは複数の、コンピュータ読取可能なプログラムコードが含まれたコンピュータ読取可能な記憶媒体（磁気ディスクメモリ、ＣＤ−ＲＯＭ、光学メモリを含むが、これらに限らない）に実施されたコンピュータプログラム製品の形態を採用してもよい。
【００５４】
本発明は、本発明の実施例による方法、装置（システム）及びコンピュータプログラム製品のフローチャット及び/またはブロック図に基づいて説明された。コンピュータ指令によってフローチャット及び/またはブロック図における各手順及び/またはブロックと、フローチャット及び/またはブロック図における手順及び/またはブロックの組合せと、が実現されてもよいことが理解すべきである。これらのコンピュータプログラム指令を通用コンピュータ、専用コンピュータ、組み込み機器または他のプログラム可能なデータ処理装置のプロセッサに提供してもよい。よって、コンピュータまたは他のプログラ可能データ処理装置のプロセッサによって実行された指令が、ブロック図における一つまたは複数の手順及び/またはブロック図における一つまたは複数のブロック図が指定した機能を実現するための装置が生じるような一つの機器が生じる。
【００５５】
これらのコンピュータプログラム指令が、コンピュータまたは他のプログラム可能なデータ処理装置が特定な方式で作動することをリードできるコンピュータ読取可能なメモリに記録されてもよい。よって、このコンピュータ読取可能なメモリに記録された指令により、指令装置を備えた製品が生じる。この指令装置によって、フローチャットにおける一つまたは複数の手順、及び/またはブロック図における一つまたは複数のブロックに指定された機能が実現する。
【００５６】
これらのコンピュータプログラム指令は、コンピュータまたは他のプログラム可能な処理装置に実装されてもよい。よって、コンピュータまたは他のプログラム可能な装置に一連の操作ステップを実行することで、コンピュータによって実現された処理が生じる。これによって、コンピュータまたは他のプログラム可能な装置に実行された指令が、フローチャットにおける一つまたは複数の手順、及び/またはブロック図における一つまたは複数のブロックに指定された機能のステップを提供する。
【００５７】
以上は、本発明の実施例に過ぎず、本発明の保護範囲を限定するものではない。本発明の保護範囲は、特許請求の範囲によって決まる。
【符号の説明】
【００５８】
４０１  確定ユニット
４０２  補償ユニット
４０３  表示ユニット
【図１】
2016510139.tif 000003
【国際調査報告】
2016510139.tif 000004
2016510139.tif 000005
2016510139.tif 000006
2016510139.tif 000007